(57)【要約】      （修正有）【課題】車両情報を画像によって表示する車両用表示装置の起動時間を体感的に短く感じさせる。【解決手段】車両用表示装置は、車両情報を示す画像を表示する画像表示手段１と、画像表示手段１の表示画面に重畳するように虚像Ｖを表示する虚像表示手段２と、画像表示手段１と虚像表示手段２とを制御する制御手段３と、を備え、制御手段３は、開始画像ＯＰを画像表示手段１に表示させるのに先立って、虚像表示手段２に虚像Ｖを表示させる。このように構成することで、車両情報を画像によって表示する車両用表示装置の起動時間を体感的に短く感じさせる、ことができる。【選択図】図１
2018008596.tif 000002
【特許請求の範囲】
【請求項１】
車両情報を示す画像を表示する画像表示手段と、
前記画像表示手段の表示画面に重畳するように虚像を表示する虚像表示手段と、
前記画像表示手段と前記虚像表示手段とを制御する制御手段と、を備え、
前記制御手段は、開始画像を前記画像表示手段に表示させるのに先立って、前記虚像表示手段に前記虚像を表示させる、
ことを特徴とする車両用表示装置。
【請求項２】
前記制御手段は、前記虚像表示手段を制御する第１制御部と、前記画像表示手段を制御する第２制御部と、を有し、
前記第１制御部は、前記第２制御部を起動させる起動信号を前記第２制御部に出力し、
前記第２制御部は、前記起動信号が入力されると、初期化処理を実行したの後に前記画像表示手段に前記開始画像を表示させ、
前記第１制御部は、前記第２制御部が前記画像表示手段に前記開始画像を表示させるのに先立って、前記虚像表示手段に前記虚像を表示させる、
ことを特徴とする請求項１に記載の車両用表示装置。
【発明の詳細な説明】
【技術分野】
【０００１】
本発明は、車両情報を画像によって表示する車両用表示装置に関する。
【背景技術】
【０００２】
従来の車両用表示装置として、特許文献１に開示されたものがある。この車両用表示装置は、画像を表示する画像表示手段と、車両の走行速度やエンジン回転数などの車両情報を画像表示手段に表示させる制御手段と、を備えるように構成されている。
【先行技術文献】
【特許文献】
【０００３】
【特許文献１】特開平９−１２３８４８号公報
【発明の概要】
【発明が解決しようとする課題】
【０００４】
上述の背景技術においては、車両用表示装置が起動を開始してから画像表示手段や制御手段の初期化処理が終わるまで画像表示手段は表示ができない。この車両用表示装置の起動開始時の画像表表示手段の非表示時間が長くなるほど、車両の搭乗者は車両用表示装置の起動時間が長いと感じ、商品価値の低下を招く原因となる。
【０００５】
本発明は、上述した課題に鑑みてなされたものであり、車両情報を画像によって表示する車両用表示装置の起動時間を体感的に短く感じさせる、ことを目的とする。
【課題を解決するための手段】
【０００６】
本発明に係る車両用表示装置は、
車両情報を示す画像を表示する画像表示手段と、
前記画像表示手段の表示画面に重畳するように虚像を表示する虚像表示手段と、
前記画像表示手段と前記虚像表示手段とを制御する制御手段と、を備え、
前記制御手段は、開始画像を前記画像表示手段に表示させるのに先立って、前記虚像表示手段に前記虚像を表示させる。
【０００７】
また、本発明に係る車両用表示装置の
前記制御手段は、前記虚像表示手段を制御する第１制御部と、前記画像表示手段を制御する第２制御部と、を有し、
前記第１制御部は、前記第２制御部を起動させる起動信号を前記第２制御部に出力し、
前記第２制御部は、前記起動信号が入力されると、初期化処理を実行したの後に前記画像表示手段に前記開始画像を表示させ、
前記第１制御部は、前記第２制御部が前記画像表示手段に前記開始画像を表示させるのに先立って、前記虚像表示手段に前記虚像を表示させる、
ように構成することが好ましい。
【発明の効果】
【０００８】
本発明によれば、車両情報を画像によって表示する車両用表示装置の起動時間を体感的に短く感じさせる、ことができる。
【図面の簡単な説明】
【０００９】
【図１】本発明に係る車両用表示装置の構成概略図。
【図２】同車両用表示装置の虚像表示手段の要部説明図。
【図３】同車両用表示装置の電気的構成図。
【図４】同車両用表示装置の起動時におけるタイミング図。
【図５】同車両用表示装置の起動時における画像表示手段の見栄えを示す図。
【発明を実施するための形態】
【００１０】
車両用表示装置は、図１に示すように、画像表示手段１と、虚像表示手段２と、制御手段３と、半透過反射板（ハーフミラー）４と、第１ケース５と、第２ケース６と、透光性の保護板７と、から構成される。
【００１１】
画像表示手段１は、液晶パネル１１と、バックライト１２と、を有する液晶表示器である。バックライト１２から発せられた光を液晶パネル１１によって所定の光だけ通過させることで所定の画像を表示画面上に表示する。画像表示手段１の表示画面に表示された画像から発せられた光Ｌ１は、半透過反射板４と保護板７を通過して運転者Ｄに視認される。
【００１２】
虚像表示手段２は、ＬＥＤなどの光源から主に構成される。虚像表示手段２の光源が点灯すると、光源から発せられた光Ｌ２のうち一部の光は第２ケース６の遮光部６１で覆われない箇所（第２ケース６に形成されたスリット６２）を通過する。スリット６２を通過した光Ｌ２は、半透過反射板４で反射した後、保護板７を通過して運転者Ｄに虚像Ｖとして視認される。この虚像Ｖは、画像表示手段１の表示画面と重畳する位置に表示される。
【００１３】
第２ケース６は、図２（ａ）に示すように、「ＷＥＬＣＯＭＥ」の文字の形にスリット６２が形成されており、虚像表示手段２の光源が点灯するとスリット６２を通過した光Ｌ２が半透過反射板４に反射して、「ＷＥＬＣＯＭＥ」の文字が虚像Ｖとして画像表示手段１の表示画面と重畳するように表示される。
【００１４】
図３に示すように、制御手段３は、虚像表示手段２を制御する第１制御部３１と、画像表示手段１を制御する第２制御部３２と、から主に構成される。
【００１５】
第１制御部３１は、ＣＰＵと、ＣＰＵが動作させるプログラムがあらかじめ記憶された不揮発性メモリと、不揮発性メモリに記憶されたプログラムの展開や展開されたプログラムの動作に伴った各種演算結果を一時的に記憶する揮発性メモリと、を有するマイクロコントローラから主に構成される。第１制御部３１の不揮発性メモリに記憶されたプログラムは、オペレーティングシステムを必要としないアプリケーションプログラムで構成されている。
【００１６】
第１制御部３１は、車両のイグニッションスイッチＩＧからイグニッションスイッチＩＧの状態を取得し、車内ネットワークＬＡＮから車両の走行速度などの車両情報を取得する。
【００１７】
第１制御部３１は、イグニッションスイッチＩＧがオンされると、不揮発性メモリに記憶されたプログラムを揮発性メモリに展開し、プログラムの実行を開始する。また、第１制御部３１は、プログラムの実行を開始すると、第２制御部３２に起動信号を出力して第２制御部３２に起動を開始させる。
【００１８】
第１制御部３１は、第２制御部３２に起動信号を出力した後、第２制御部３２が画像を表示開始するまでの間、虚像表示手段２に虚像Ｖを表示させる。
【００１９】
第１制御部３１は、第２制御部３２が画像を表示開始すると、イグニッションスイッチＩＧの状態がＯＮである間、車内ネットワークＬＡＮから取得した車両情報を第２制御部３２へ定期的に出力する。
【００２０】
第２制御部３２は、ＣＰＵと、ＣＰＵが動作させるプログラムがあらかじめ記憶された不揮発性メモリと、不揮発性メモリに記憶されたプログラムの展開や展開されたプログラムの動作に伴った各種演算結果を一時的に記憶する揮発性メモリと、グラフィックアクセラレータと、を有する描画処理機能に優れたマイクロコントローラから主に構成される。この第２制御部３２の不揮発性メモリに記憶されたプログラムは、ＲＴＯＳ（Real-time operating system）などのオペレーティングシステムと、このオペレーティングシステムが動作した上で動作するアプリケーションプログラムと、によって主に構成される。
【００２１】
第２制御部３２は、第１制御部３１から起動信号が入力されると、不揮発性メモリに記憶されたオペレーティングシステムを揮発性メモリに展開してオペレーティングシステムの実行を開始した後、不揮発性メモリに記憶されたアプリケーションプログラムを揮発性メモリに展開してアプリケーションプログラムの実行を開始する。そのため、第２制御部３２は、第１制御部３１に比べ不揮発性メモリから揮発性メモリに展開してから起動するまでの初期化処理に時間がかかる。
【００２２】
第２制御部３２は、アプリケーションプログラムの実行を開始すると、画像表示手段１の初期化処理を実行する。画像表示手段１の初期化処理は、例えば、画像表示手段１の起動／停止を設定するコマンドや、表示画像データのピクセルフォーマットを設定するコマンドや、垂直／水平同期信号の周期を設定するコマンド、などの種々のコマンドを画像表示手段１に出力することにより画像表示手段１が画像を表示できる状態に設定する処理である。画像表示手段１は、コマンドが入力されてから設定が反映されるまで数百ミリ秒かかるため、初期化処理で第２制御部３２が画像表示手段１に出力するコマンドの数が多いほど、この初期化処理は長いものとなる。
第２制御部３２は、初期化処理の実行を完了すると、画像表示手段１に開始画像ＯＰを所定時間表示させる。
【００２３】
第２制御部３２は、画像表示手段１に開始画像ＯＰを所定時間表示させた後、第１制御部３１から定期的に出力される車両情報を画像表示手段１に表示させて、運転者Ｄに車両情報を視認させる。
【００２４】
上述した第１制御部３１と第２制御部３２の制御手順と、運転者Ｄから視認される画像表示手段１と虚像表示手段２による表示の見栄えについて、図４および図５を参照して詳述する。
【００２５】
（時刻Ｔ１）
第１制御部３１は、イグニッションスイッチＩＧがオンされると、不揮発性メモリに記憶されたプログラムを揮発性メモリに展開し、プログラムの実行を開始する。また、第１制御部３１は、プログラムの実行を開始すると、第２制御部３２に起動信号を出力して第２制御部３２に起動を開始させる。このとき、画像表示手段１は非表示な状態であり、虚像表示手段２も非表示な状態である。
【００２６】
（時刻Ｔ２）
第２制御部３２は、第１制御部３１から起動信号が入力されると、不揮発性メモリに記憶されたオペレーティングシステムを揮発性メモリに展開してオペレーティングシステムの実行を開始した後、不揮発性メモリに記憶されたアプリケーションプログラムを揮発性メモリに展開してアプリケーションプログラムの実行を開始する。また、第２制御部３２は、アプリケーションプログラムの実行を開始すると、画像表示手段１の初期化処理を実行する。
第１制御部３１は、第２制御部３２に起動信号を出力した後、第２制御部３２が画像を表示開始するまでの間、虚像表示手段２に虚像Ｖを表示させる。
このとき、画像表示手段１は非表示な状態であるが、虚像表示手段２によって虚像Ｖが画像表示手段１の表示画面上に表示される。
【００２７】
（時刻Ｔ３）
第２制御部３２は、初期化処理の実行を完了すると、画像表示手段１に開始画像ＯＰを所定時間表示させる。
このとき、画像表示手段１には開始画像ＯＰが表示され、虚像表示手段２によって虚像Ｖが開始画像ＯＰに重畳するように表示される。
【００２８】
（時刻Ｔ４）
第１制御部３１は、虚像表示手段２を非表示にする。このとき、画像表示手段１には開始画像ＯＰが表示されている。
【００２９】
第２制御部３２は、画像表示手段１に開始画像ＯＰを所定時間表示させた後、第１制御部３１から定期的に出力される車両情報を画像表示手段１に表示させて、運転者Ｄに車両情報を視認させる。
【００３０】
以上のように、本発明に係る車両用表示装置は、車両情報を示す画像を表示する画像表示手段１と、画像表示手段１の表示画面に重畳するように虚像Ｖを表示する虚像表示手段２と、画像表示手段１と虚像表示手段２とを制御する制御手段３と、を備え、制御手段３は、開始画像ＯＰを画像表示手段１に表示させるのに先立って、虚像表示手段２に虚像Ｖを表示させる。
このように構成することで、車両情報を画像によって表示する車両用表示装置の起動時間を体感的に短く感じさせる、ことができる。
【００３１】
また、本発明に係る車両用表示装置の制御手段３は、虚像表示手段２を制御する第１制御部３１と、画像表示手段１を制御する第２制御部３２と、を有し、第１制御部３１は、第２制御部３２を起動させる起動信号を第２制御部３２に出力し、第２制御部３２は、起動信号が入力されると、初期化処理を実行したの後に画像表示手段１に開始画像ＯＰを表示させ、第１制御部３１は、第２制御部３２が画像表示手段１に開始画像ＯＰを表示させるのに先立って、虚像表示手段２に虚像Ｖを表示させる、ように構成することが好ましい。
このように構成することで、第２制御部３２の初期化処理が完了して画像表示手段１に開始画像ＯＰが表示できるようになる前に、虚像表示手段２によって画像表示手段１の表示画面に重畳するように虚像Ｖが表示されるので、車両情報を画像によって表示する車両用表示装置の起動時間を体感的に短く感じさせる、ことができる。
【００３２】
以上、本発明に係る車両用表示装置の実施形態を説明したが、本発明は上記の実施形態（図面の内容も含む）によって限定されるものではない。
【００３３】
例えば、第２ケース６は、図２（ａ）に示すように、「ＷＥＬＣＯＭＥ」の文字の形にスリット６２を形成して「ＷＥＬＣＯＭＥ」の文字を虚像Ｖとして表示する構成としたが、これに限定されない。スリット６２は、種々の図形であってよく、車両や車両用表示装置の製造業者を示すロゴマークなどであってもよい。
【００３４】
また、画像表示手段１に表示する開始画像ＯＰは、静止画に限らず、アニメーションであってもよい。この場合、開始画像ＯＰを構成するアニメーションが虚像Ｖと連続性を持つように構成することが好ましい。
【符号の説明】
【００３５】
１      ：画像表示手段
１１    ：液晶パネル
１２    ：バックライト
２      ：虚像表示手段
３      ：制御手段
３１    ：第１制御部
３２    ：第２制御部
４      ：半透明反射板
５      ：第１ケース
６      ：第２ケース
６１    ：遮光部
６２    ：スリット
７      ：保護板
Ｌ１    ：画像表示手段が発する光
Ｌ２    ：虚像表示手段が発する光
Ｖ      ：虚像
ＯＰ    ：開始画像
【図１】
2018008596.tif 000003
【図２】
2018008596.tif 000004
【図３】
2018008596.tif 000005
【図４】
2018008596.tif 000006
【図５】
2018008596.tif 000007